(57)【特許請求の範囲】
【請求項１】
機器本体と、
前記機器本体に着脱可能に取り付けられるバッテリー関連部品と、
前記バッテリー関連部品に着脱可能に取り付けられるベルトフックと、
を備え、
前記バッテリー関連部品と前記ベルトフックには、互いにスライド可能なレール部とスライド部が夫々形成され、前記バッテリー関連部品の前記レール部は前記ベルトフックの前記スライド部をスライド移動自在に支持しており、
前記バッテリー関連部品には、前記ベルトフックに引っ掛かる爪部を有し、前記爪部を前記ベルトフックに引っ掛けることで前記レール部に対する前記スライド部のスライド移動を規制可能な弾性部材が設けられており、
前記機器本体には、前記弾性部材を用いて前記ベルトフックを前記バッテリー関連部品と一体化させ、前記バッテリー関連部品を前記機器本体に取り付けた状態において、前記弾性部材の変形を抑制する変形抑制部が設けられている、
携帯用電子機器。
【請求項２】
請求項１に記載の携帯用電子機器であって、
前記弾性部材の変形とは、前記ベルトフックに対する前記爪部の引っ掛かりを解く方向への前記弾性部材の変形である、
携帯用電子機器。
【請求項３】
請求項１又は２に記載の携帯用電子機器であって、
前記変形抑制部は、前記バッテリー関連部品を前記機器本体に取り付けることにより前記弾性部材の変形を抑制可能となるように配置されている、
携帯用電子機器。
【請求項４】
請求項１〜３の何れかに記載の携帯用電子機器であって、
前記弾性部材は、片持ち梁である板ばね本体と、前記板ばね本体の自由端に形成された前記爪部と、によって構成される、
携帯用電子機器。
【請求項５】
請求項１〜４の何れかに記載の携帯用電子機器であって、
前記バッテリー関連部品は、バッテリー本体と、前記バッテリー本体を保持するバッテリーハウジングと、によって構成されている、
携帯用電子機器。
【請求項６】
携帯用無線機器である、請求項１〜５の何れかに記載の携帯用電子機器。
【発明の詳細な説明】
【技術分野】
【０００１】
本発明は携帯用電子機器に関する。
【背景技術】
【０００２】
この種の技術として、特許文献１は、携帯型トランシーバと、その背面に着脱可能なベルトクリップ部材と、バッテリー収容部のカバーと、を備えた構成を開示している。ベルトクリップ部材は、携帯型トランシーバの背面に形成されたレール部に、ベルトクリップ部材の前面に形成されたスライド部を嵌合させることで、携帯型トランシーバの背面に取り付けるようになっている。
【０００３】
更に、レール部には凸部が設けられ、スライド部には凸部と係合し得る板バネが設けられている。そして、ベルトクリップ部材を携帯型トランシーバに取り付けた状態では、板バネの係止突起がレール部の凸部に係合するように構成されている。ベルトクリップ部材を取り外すときは、板バネの先端片をつまんで係止突起と凸部との係合を解除してからスライド部をスライドさせる。
【先行技術文献】
【特許文献】
【０００４】
【特許文献１】特開２００５−２１４３３２号公報
【発明の概要】
【発明が解決しようとする課題】
【０００５】
上記特許文献１の構成は、スライド部が簡易な操作で脱着が可能な点で有益である。
【０００６】
従来例の脱着可能なベルトクリップの技術は、スライド部の係止突起と凸部との係合によるロック機構が、常にロックが解除可能な状態で使用されている。即ち、常にロックが解除可能な状態では、実使用時においてはベルトクリップのロックが意に反して外れる可能性もある。
【０００７】
本願発明の目的は、バッテリーに装着されたベルトクリップ（本願発明では以下ベルトフックと記載する）を本体に装着することによって、ベルトクリップのロックを解除不能とする技術を提供することにある。
【課題を解決するための手段】
【０００８】
本願発明の観点によれば、携帯用電子機器は、機器本体と、前記機器本体に着脱可能に取り付けられるバッテリー関連部品と、前記バッテリー関連部品に着脱可能に取り付けられるベルトフックと、を備える。前記バッテリー関連部品と前記ベルトフックには、互いにスライド可能なレール部とスライド部が夫々形成される。前記バッテリー関連部品の前記レール部は前記ベルトフックの前記スライド部をスライド移動自在に支持する。前記バッテリー関連部品には、前記ベルトフックに引っ掛かる爪部を有し、前記爪部を前記ベルトフックに引っ掛けることで前記レール部に対する前記スライド部のスライド移動を規制可能な弾性部材が設けられている。前記機器本体には、前記弾性部材を用いて前記ベルトフックを前記バッテリー関連部品と一体化させ、前記バッテリー関連部品を前記機器本体に取り付けた状態において、前記弾性部材の変形を抑制する変形抑制部が設けられている。
【０００９】
好ましくは、前記弾性部材の変形とは、前記ベルトフックに対する前記爪部の引っ掛かりを解く方向への前記弾性部材の変形である。
【００１０】
好ましくは、前記変形抑制部は、前記バッテリー関連部品を前記機器本体に取り付けることにより前記弾性部材の変形を抑制可能となるように配置されている。
【００１１】
好ましくは、前記弾性部材は、片持ち梁である板ばね本体と、前記板ばね本体の自由端に形成された前記爪部と、によって構成される。
【００１２】
好ましくは、前記バッテリー関連部品は、バッテリー本体と、前記バッテリー本体を保持するバッテリーハウジングと、によって構成されている。
【００１３】
好ましくは、携帯用電子機器は、携帯用無線機器である。
【発明の効果】
【００１４】
本願発明によれば、前記バッテリー関連部品が前記機器本体に取り付けられた状態では、前記バッテリー関連部品の前記弾性部材の変形が禁止されるので、無意識のうちに前記バッテリー関連部品の前記弾性部材による前記ベルトフックの係り止めが解除されてしまうことがない。また、前記バッテリー関連部品を前記機器本体から取り外した状態では、前記バッテリー関連部品の前記弾性部材の変形が許容されるので、問題なく、前記バッテリー関連部品の前記弾性部材による前記ベルトフックの係り止めを解除することができる。このような携帯用電子機器は、本願出願時において全く新規である。
【図面の簡単な説明】
【００１５】
【図１】図１は、携帯用無線機器の斜視図である。
【図２】図２は、別の方角から見た携帯用無線機器の斜視図である。
【図３】図３（ａ）〜（ｃ）は、携帯用無線機器の分解斜視図である。図３（ａ）は、機器本体の斜視図である。図３（ｂ）は、バッテリーパックの斜視図である。図３（ｃ）は、ベルトフックの斜視図である。
【図４】図４は、機器本体の斜視図である。
【図５】図５（ａ）〜（ｃ）は、リリースレバーの異なる方角から見た斜視図である。
【図６】図６は、バッテリーパックの斜視図である。
【図７】図７は、別の方角から見たバッテリーパックの斜視図である。
【図８】図８は、バッテリーパックの部分拡大斜視図である。
【図９】図９は、ベルトフックの斜視図である。
【図１０】図１０は、別の方角から見たベルトフックの斜視図である。
【図１１】図１１は、更に別の方角から見たベルトフックの斜視図である。
【図１２】図１２は、バッテリーパックにベルトフックを取り付けた状態を示す図である。
【図１３】図１３は、バッテリーパックを機器本体に取り付ける様子を示す図である。
【図１４】図１４は、バッテリーパックを機器本体に取り付けた状態を示す図である。
【図１５】図１５は、図１４のXV-XV線矢視の部分断面図である。
【発明を実施するための形態】
【００１６】
以下、図１〜図１５を参照しつつ、本願発明の一実施形態を説明する。
【００１７】
図１〜図３（ｃ）に示すように携帯用無線機器１は、機器本体２と、バッテリーパック３（バッテリー関連部品）と、ベルトフック４と、を主たる構成として備えている。
【００１８】
図１に示すように、機器本体２の前面２ａにはスピーカー５が設けられている。機器本体２の上面２ｂには、スピーカー５の出力音声の音量を調整するボリュームつまみ６やチャンネル切り替え用のチャンネルつまみ７、図示しないアンテナを接続するためのアンテナ端子８が設けられている。機器本体２の側面２ｃには、携帯用無線機器１の状態を音声受信状態から音声送信状態へと切り替えるためのプレストークスイッチ９が設けられている。
【００１９】
図２に示すように、機器本体２の背面２ｄには、バッテリーパック３とベルトフック４が取り付けられている。バッテリーパック３は、機器本体２の背面２ｄに設けられたリリースレバー１０を操作することで、機器本体２の背面２ｄに対して着脱自在である。ベルトフック４はバッテリーパック３を介して機器本体２の背面２ｄに取り付けられる。換言すれば、ベルトフック４はバッテリーパック３に対して取り付けられる。本実施形態において、ベルトフック４は、バッテリーパック３に対して着脱自在に構成されている。図３（ａ）〜（ｃ）は、機器本体２とバッテリーパック３、ベルトフック４を夫々示している。
【００２０】
以下、説明の便宜上、図１において、「高さ方向」、「幅方向」、「厚み方向」を定義する。「高さ方向」は、携帯用無線機器１の前面２ａ及び背面２ｄ、側面２ｃの面方向に対して平行であって、携帯用無線機器１の上面２ｂ及び底面２ｅに対して直交する方向である。「高さ方向」のうち、上面２ｂから底面２ｅを見る方角を「下向き方向」とし、底面２ｅから上面２ｂを見る方角を「上向き方向」とする。同様に、「幅方向」は、携帯用無線機器１の前面２ａ及び背面２ｄ、上面２ｂ、底面２ｅの面方向に対して平行であって、携帯用無線機器１の側面２ｃに対して直交する方向である。「幅方向」のうち、携帯用無線機器１の幅方向における中心に向かう方向を「中心近接方向」とし、携帯用無線機器１の幅方向における中心から離れる方向を「中心離間方向」とする。「厚み方向」は、携帯用無線機器１の上面２ｂ及び底面２ｅ、側面２ｃの面方向に対して平行であって、携帯用無線機器１の前面２ａ及び背面２ｄに対して直交する方向である。「厚み方向」のうち、背面２ｄから前面２ａを見る方角を「前向き方向」とし、前面２ａから背面２ｄを見る方角を「後ろ向き方向」とする。以上に定義した各種方向は、携帯用無線機器１のみならず、図１に示すように組み立てられた状態の携帯用無線機器１の各種構成要素にもそのまま適用されるものとする。
【００２１】
（機器本体２）
図４に示すように、機器本体２は、スピーカー５（図１参照）と、本体ハウジング１１と、ボリュームつまみ６と、チャンネルつまみ７と、アンテナ端子８と、プレストークスイッチ９と、リリースレバー１０と、図示しない制御回路と、を備えて構成されている。
【００２２】
本体ハウジング１１の背面２ｄには、バッテリーパック３が収容されるバッテリー収容溝１２が形成されている。このバッテリー収容溝１２の底壁部１２ａには、一対のバッテリーパック引っ掛け爪部１２ｂが形成されている。バッテリー収容溝１２の上壁部１２ｃには、リリースレバー１０が高さ方向に進退自在に収容されている。リリースレバー１０は、圧縮コイルバネ１０ａ（図１５を併せて参照）により下向きに押されており、図４に示すロック位置で静止している。
【００２３】
リリースレバー１０は、バッテリー収容溝１２に収容されたバッテリーパック３を外れないように保持すると共に、一方で、必要に応じて、バッテリーパック３をバッテリー収容溝１２から取り外せるように上記保持を中止するためのものである。図５（ａ）〜（ｃ）に基づいてリリースレバー１０の構成を詳細に説明する。図５（ａ）〜（ｃ）に示すように、リリースレバー１０は、スライダ１３と、操作部１４と、連結部１５と、リブ１６（変形抑制部）と、バネ保持部１７と、を備えて構成されている。
【００２４】
スライダ１３は、本体ハウジング１１に対するリリースレバー１０の相対的な移動を高さ方向に限定するためのものである。スライダ１３は、一対の平行なロッド１８と、各ロッド１８の下向き方向における端部同士を連結する連結部としてのリリースレバーロック爪部１９と、から構成されている。各ロッド１８は、本体ハウジング１１に形成された高さ方向に延びるロッド収容空間に収容される。各ロッド１８の上向き方向における端部には、本体ハウジング１１に対するリリースレバー１０の下向き方向への移動を所定位置において規制するストッパ２０が形成されている。リリースレバーロック爪部１９は、ガイド面１９ａとロック面１９ｂを有する。ガイド面１９ａは、下向き方向と後ろ向き方向の中間の方角を向いている。ロック面１９ｂは、前向き方向を向いている。
【００２５】
操作部１４は、ユーザーが、圧縮コイルバネ１０ａ（図１５参照）のばね力に抗してリリースレバー１０を上向き方向に移動させ易くするためのものである。操作部１４は、操作部本体１４ａと操作補助部１４ｂから構成されている。操作部本体１４ａは、ユーザーの指の腹が面接触可能である。操作部本体１４ａは、前後方向に対して直交する板状に形成されている。操作補助部１４ｂは、操作部本体１４ａに対して面接触したユーザーの指の腹が、操作部本体１４ａに対して上向き方向にズレるのを防止するものである。操作補助部１４ｂは、操作部本体１４ａに対して上向き方向に隣接して形成され、後ろ向き方向に若干突出して形成されている。
【００２６】
連結部１５は、操作部１４の下向き方向の端部２１と、スライダ１３のリリースレバーロック爪部１９と、を連結して一体化させている。
【００２７】
リブ１６は、リリースレバーロック爪部１９のガイド面１９ａの幅方向における中央に接続し、後ろ向き方向へ突出して形成される。リブ１６は、リリースレバーロック爪部１９と比較して幅方向において小さい。リブ１６は、リリースレバーロック爪部１９の幅方向における中央に配置されている。このリブ１６の後ろ向き方向の端面には、前後方向に対して直交する撓み規制面２２が形成されている。また、リブ１６の下向き方向の端面には若干の丸みが付与されている。
【００２８】
バネ保持部１７は、本体ハウジング１１に対してリリースレバー１０を下向き方向に押すための圧縮コイルバネ１０ａ（図１５参照）を保持するためのものである。バネ保持部１７は、連結部１５の幅方向における中央に接続し、上向き方向へ突出して形成されている。圧縮コイルバネ１０ａ（図１５参照）は、バネ保持部１７に保持される一方で、一端が本体ハウジング１１に接触し、他端が連結部１５に接触している。
【００２９】
（バッテリーパック３）
次に、図６〜８に基づいてバッテリーパック３の構成を詳細に説明する。バッテリーパック３は、機器本体２に電力を供給するためのものである。図６及び図７に示すように、バッテリーパック３は、例えばリチウムイオン二次電池などのバッテリー本体２３と、バッテリー本体２３を保持するバッテリーハウジング２４と、を備えて構成されている。
【００３０】
図７に示すようにバッテリーハウジング２４の下向き方向における端部には、一対の本体ハウジング引っ掛け爪部２５が形成されている。各本体ハウジング引っ掛け爪部２５は、下向き方向に突出して形成されている。
【００３１】
図８に示すようにバッテリーハウジング２４の上向き方向における端部には、ベルトフック取り付け構造２６とバッテリーパックロック爪部２７が形成されている。
【００３２】
ベルトフック取り付け構造２６は、ベルトフック４をバッテリーパック３に着脱自在に取り付けるためのものである。ベルトフック取り付け構造２６は、一対のレール部２８と、ヒンジ部２９（弾性部材）と、を備えて構成されている。
【００３３】
各レール部２８は、バッテリーパック３に対するベルトフック４の相対的な移動を高さ方向に限定するためのものである。各レール部２８は、高さ方向に延びると共に、バッテリーパック３の平面視において、中央近接方向に開口するU字形状に形成されている。
【００３４】
ヒンジ部２９は、バッテリーパック３に対するベルトフック４の相対的な上向き方向への移動を所定位置で規制するためのものである。ヒンジ部２９は、板ばね本体３０と、ベルトフックロック爪部３１（爪部）と、から構成されている。板ばね本体３０は、一対のレール部２８間で上向き方向に延びる片持ち梁である。ベルトフックロック爪部３１は、板ばね本体３０の自由端に形成されている。詳しくは、ベルトフックロック爪部３１は、板ばね本体３０の自由端に接続し、後ろ向き方向に突出して形成されている。ベルトフックロック爪部３１は、ガイド面３１ａとロック面３１ｂを有している。ガイド面３１ａは、後ろ向き方向と上向き方向の間の方角を向いている。ロック面３１ｂは、下向き方向を向いている。
【００３５】
ベルトフック取り付け構造２６は、更に、突き当たり面３２を有している。突き当たり面３２は、バッテリーパック３に対するベルトフック４の相対的な下向き方向への移動を所定位置で規制するものである。突き当たり面３２は、ヒンジ部２９の基端の近傍に形成されている。
【００３６】
バッテリーパックロック爪部２７は、リリースレバー１０との協働により、バッテリーパック３をバッテリー収容溝１２に収容した状態で、バッテリーパック３を機器本体２に保持させるためのものである。バッテリーパックロック爪部２７は、上向き方向に突出して形成されており、後ろ向き方向を向く被ロック面３３を有している。
【００３７】
また、バッテリーパックロック爪部２７とヒンジ部２９との間に隔壁部３４が形成されている。バッテリーパックロック爪部２７と隔壁部３４の幅方向における中央には、切り欠き２７ａ及び切り欠き３４ａが形成されている。切り欠き２７ａ及び切り欠き３４ａの幅方向における寸法は、図５（ｂ）に示すリブ１６の幅方向における寸法よりも若干大きく設定されている。
【００３８】
（ベルトフック４）
次に、図９〜図１１を参照しつつ、ベルトフック４の構成を詳細に説明する。ベルトフック４は、携帯用無線機器１をユーザーのベルトに引っ掛けるためのものである。図９〜図１１に示すように、ベルトフック４は、スライダ３５と、フック３６と、ねじりコイルバネ３７と、シャフト３８と、によって構成されている。ユーザーのベルトをバッテリーパック３とベルトフック４で挟み込むことで、携帯用無線機器１はユーザーのベルトに支持されるようになっている。
【００３９】
スライダ３５は、ベルトフック４をバッテリーパック３に取り付けるための取付具である。スライダ３５は、図８に示すバッテリーパック３のベルトフック取り付け構造２６のレール部２８に対してスライド可能に構成されている。詳しくは、スライダ３５は、図１０に示すように、一対のスライド部３９と、一対のスライド部３９間を連結する連結部４０と、一対のシャフト保持部４１と、によって構成されている。
【００４０】
一対のスライド部３９は互いに平行に高さ方向に延びている。各スライド部３９は、平面視で、中央離間方向に開口するU字状に形成されている。
【００４１】
連結部４０は、図１１に示す被ロック面４０ａと、図１０に示すガイド面４０ｂと、を有している。被ロック面４０ａは、上向き方向に向いている。一方で、ガイド面４０ｂは、前向き方向と下向き方向の中間の方角を向いている。
【００４２】
一対のシャフト保持部４１は、連結部４０に接続し、連結部４０から後ろ向き方向に突出して形成されている。図１１に示すように各シャフト保持部４１の先端にはシャフト３８が隙間嵌めされる軸受４２が形成されている。
【００４３】
フック３６は、ユーザーのベルトをバッテリーパック３との間に挟み込むためのものである。フック３６は、図１０及び図１１に示すように、フック本体４３と、一対のシャフト支持部４４と、から構成されている。フック本体４３は、ユーザーのベルトと作業着との間に挿入される。各シャフト支持部４４は、フック本体４３の上向き方向の端部に接続し、フック本体４３の上向き方向の端部から前向き方向へ突出して形成されている。各シャフト支持部４４の先端にはシャフト３８が締まり嵌めされるシャフト取り付け孔４５が形成されている。
【００４４】
ねじりコイルバネ３７は、フック３６をバッテリーパック３に対して押し付けるためのものである。ねじりコイルバネ３７は、スライダ３５の一対のシャフト保持部４１間に収容されている。シャフト３８は、ねじりコイルバネ３７の内部を貫通している。ねじりコイルバネ３７の一端はスライダ３５の連結部４０に固定され、他端はフック３６のフック本体４３に固定されている。ねじりコイルバネ３７の存在により、ユーザーのベルトはバッテリーパック３とベルトフック４によってしっかりと挟まれ、もって、携帯用無線機器１がユーザーのベルトから上向き方向に勝手に抜けないようになっている。
【００４５】
（取り付け手順１）
次に、バッテリーパック３に対するベルトフック４の取り付け手順を説明する。先ず、図８に示すバッテリーパック３のベルトフック取り付け構造２６の各レール部２８に対して図１１に示すベルトフック４のスライダ３５のスライド部３９を嵌め合わせて、スライダ３５を下向き方向に押し込んでいく。すると、図１０に示すベルトフック４のスライダ３５の連結部４０のガイド面４０ｂが、図８に示すバッテリーパック３のベルトフック取り付け構造２６のヒンジ部２９のベルトフックロック爪部３１と物理的に干渉することで、バッテリーパック３のベルトフック取り付け構造２６のヒンジ部２９の板ばね本体３０が一時的に前向き方向へ撓む。
【００４６】
継続して、スライダ３５がベルトフック取り付け構造２６の突き当たり面３２に突き当たるまで、スライダ３５を下向き方向に押し込む。すると、図８に示すバッテリーパック３のベルトフック取り付け構造２６のヒンジ部２９のベルトフックロック爪部３１は、図１０に示すベルトフック４のスライダ３５の連結部４０を乗り越え、この結果、図８のベルトフックロック爪部３１のロック面３１ｂは、図１１の連結部４０の被ロック面４０ａと高さ方向で対面し、もって、バッテリーパック３に対するベルトフック４の上向き方向のスライド移動は規制される。このときの様子を図１２に示す。
【００４７】
（取り付け手順２）
次に、機器本体２に対するバッテリーパック３の取り付け手順を説明する。先ず、図４に示す機器本体２のバッテリー収容溝１２の一対のバッテリーパック引っ掛け爪部１２ｂに対して、図７に示すバッテリーパック３の本体ハウジング引っ掛け爪部２５を引っ掛けた図１３に示す状態とする。次に、バッテリーパック引っ掛け爪部１２ｂに対して本体ハウジング引っ掛け爪部２５を引っ掛けたまま、バッテリーパック３を機器本体２のバッテリー収容溝１２へ向かってに対して倒し込む。すると、図８に示すバッテリーパック３のバッテリーパックロック爪部２７が、図５（ｂ）に示すリリースレバー１０のスライダ１３のリリースレバーロック爪部１９のガイド面１９ａに対して物理的に干渉して、リリースレバー１０が圧縮コイルバネ１０ａ（図１５参照）のばね力に抗して上向き方向に退避移動する。継続して、バッテリーパック３を機器本体２のバッテリー収容溝１２に向かって倒し込むと、図５（ｂ）に示すリリースレバー１０のスライダ１３のリリースレバーロック爪部１９が図８に示すバッテリーパック３のバッテリーパックロック爪部２７を乗り越え、リリースレバー１０は図４に示す前述のロック位置へと戻る。この結果、図５（ｃ）に示すバッテリーパック３のスライダ１３のリリースレバーロック爪部１９のロック面１９ｂは、図８に示すバッテリーパック３のバッテリーパックロック爪部２７の被ロック面３３に対して正対する。これにより、バッテリーパック３は、図１４に示すように機器本体２に保持されることになる。
【００４８】
図１５には、図１４のXV-XV線矢視断面図を示す。図１５に示す状態で、ベルトフック４に何らかの外力が作用すると、ベルトフック４のスライダ３５の連結部４０の被ロック面４０ａがバッテリーパック３のヒンジ部２９のベルトフックロック爪部３１のロック面３１ｂを強力に押圧し、その押圧の程度によっては、ヒンジ部２９（板ばね本体３０）が図１５において時計回りに倒れるように変形しようとする。このヒンジ部２９の変形の方向は、他ならぬ、ベルトフック４に対するベルトフックロック爪部３１の引っ掛かりを解く方向である。これに対し、本実施形態では、図１５に示す状態で、機器本体２のリリースレバー１０のリブ１６の撓み規制面２２が、バッテリーパック３のヒンジ部２９の板ばね本体３０の先端部３０ａと、微小隙間ｇを挟んで対向している。従って、バッテリーパック３のベルトフック取り付け構造２６のヒンジ部２９の板ばね本体３０が時計回りに倒れるように変形しようとしても、板ばね本体３０の先端部３０ａは直ちに機器本体２のリリースレバー１０のリブ１６の撓み規制面２２と物理的に干渉して、それ以上の変形が規制されるようになっている。
【００４９】
（取り外し手順１）
次に、機器本体２からのバッテリーパック３の取り外し手順を説明する。機器本体２からバッテリーパック３を取り外すには、先ず、図１４の状態で、リリースレバー１０を上向き方向に強制的に退避させた上で、図１３に示すようにバッテリーパック３を機器本体２から引き離す。後は、図４の機器本体２のバッテリー収容溝１２のバッテリーパック引っ掛け爪部１２ｂに対する図７のバッテリーパック３の本体ハウジング引っ掛け爪部２５の引っ掛かりを解除してやればよい。
【００５０】
（取り外し手順２）
次に、バッテリーパック３からのベルトフック４の取り外し手順を説明する。バッテリーパック３からベルトフック４を取り外すには、先ず、図１２に示す状態で、バッテリーパック３のベルトフック取り付け構造２６のヒンジ部２９のベルトフックロック爪部３１を前向き方向に押し下げて、このベルトフックロック爪部３１の、ベルトフック４のスライダ３５の連結部４０に対する引っ掛かりを解除する。次に、ベルトフック４をバッテリーパック３から引き抜いてやればよい。
【００５１】
以上に本願発明の好適な実施形態を説明したが、上記実施形態は、要するに以下の特長を有している。
【００５２】
携帯用無線機器１（携帯用電子機器）は、機器本体２と、機器本体２に着脱可能に取り付けられるバッテリーパック３（バッテリー関連部品）と、バッテリーパック３に着脱可能に取り付けられるベルトフック４と、を備えている。バッテリーパック３とベルトフック４には、互いにスライド可能なレール部２８とスライド部３９が夫々形成されている。バッテリーパック３のレール部２８はベルトフック４のスライド部３９をスライド移動自在に支持している。バッテリーパック３には、ベルトフック４に引っ掛かるベルトフックロック爪部３１（爪部）を有し、ベルトフックロック爪部３１をベルトフック４に引っ掛けることでレール部２８に対するスライド部３９のスライド移動を規制可能なヒンジ部２９（弾性部材）が設けられている。機器本体２には、ヒンジ部２９を用いてベルトフック４をバッテリーパック３と一体化させ、バッテリーパック３を機器本体２に取り付けた状態において、ヒンジ部２９の変形を抑制するリブ１６（変形抑制部）が設けられている。
【００５３】
即ち、バッテリーパック３が機器本体２に取り付けられた状態で、無意識のうちにバッテリーパック３のヒンジ部２９が操作されると、バッテリーパック３のヒンジ部２９が変形して、バッテリーパック３のヒンジ部２９によるベルトフック４の係り止めが解除されてしまう虞がある。これに対し、以上の構成によれば、バッテリーパック３が機器本体２に取り付けられた状態で、無意識のうちにバッテリーパック３のヒンジ部２９が操作されても、バッテリーパック３のヒンジ部２９の変形が禁止されるので、バッテリーパック３のヒンジ部２９によるベルトフック４の係り止めが解除されてしまうことがない。
【００５４】
別の見方をすれば、バッテリーパック３が機器本体２に取り付けられた状態で、ベルトフック４に過大な外力が作用すると、バッテリーパック３のヒンジ部２９が変形して、バッテリーパック３のヒンジ部２９によるベルトフック４の係り止めが解除されてしまう虞がある。これに対し、以上の構成によれば、バッテリーパック３が機器本体２に取り付けられた状態で、ベルトフック４に過大な外力が作用しても、バッテリーパック３のヒンジ部２９の変形が禁止されるので、バッテリーパック３のヒンジ部２９によるベルトフック４の係り止めが解除されてしまうことがない。
【００５５】
また、バッテリーパック３を機器本体２から取り外した状態では、バッテリーパック３のヒンジ部２９の変形が許容されるので、問題なく、バッテリーパック３のヒンジ部２９によるベルトフック４の係り止めを解除することができる。このような携帯用無線機器１は、本願出願時において全く新規である。
【００５６】
なお、上記実施形態では、携帯用電子機器の一例として携帯用無線機器１を取り上げたが、例えば携帯電話機などのその他の携帯用電子機器に対しても、同等の技術的効果を発揮させることができる。
【００５７】
また、上記実施形態では、リブ１６を機器本体２のリリースレバー１０に設けることとしたが、これに代えて、リブ１６を機器本体２の本体ハウジング１１に設けることとしてもよい。
【００５８】
また、ヒンジ部２９の上記変形とは、図１５に示すように、ベルトフック４に対するベルトフックロック爪部３１の引っ掛かりを解く方向へのヒンジ部２９の変形である。
【００５９】
また、リブ１６は、図１３〜１５に示すように、バッテリーパック３を機器本体２に取り付けるだけでヒンジ部２９の変形を抑制可能となるように配置されている。以上の構成によれば、リブ１６に関連した特別な操作をユーザーに強いる必要がない。
【００６０】
また、ヒンジ部２９は、片持ち梁である板ばね本体３０と、板ばね本体３０の先端部３０ａ（自由端）に形成されたベルトフックロック爪部３１と、によって構成される。
【００６１】
また、バッテリーパック３は、バッテリー本体２３と、バッテリー本体２３を保持するバッテリーハウジング２４と、によって構成されている。
【００６２】
なお、上記実施形態において、バッテリー本体２３とバッテリーハウジング２４は機器本体２に組み付ける前に予め一体化された状態となっているが、これに代えて、バッテリー本体２３とバッテリーハウジング２４は一体化せずに別々に機器本体２に組み付けてもよい。
【００６３】
また、上記実施形態では、図１５に示すように、特段の追加部品をすることなく単にリブ１６を設けただけでヒンジ部２９の変形を規制できるようにした。従って、部品点数増加によるコスト増加は回避されている。
【符号の説明】
【００６４】
１  携帯用無線機器
２  機器本体
３  バッテリーパック
４  ベルトフック
１０  リリースレバー
１６  リブ
２２  撓み規制面
２９  ヒンジ部
３０  板ばね本体
３１  ベルトフックロック爪部
【図１】
0005168331.tif 000002
【図２】
0005168331.tif 000003
【図３】
0005168331.tif 000004
【図４】
0005168331.tif 000005
【図５】
0005168331.tif 000006
【図６】
0005168331.tif 000007
【図７】
0005168331.tif 000008
【図８】
0005168331.tif 000009
【図９】
0005168331.tif 000010
【図１０】
0005168331.tif 000011
【図１１】
0005168331.tif 000012
【図１２】
0005168331.tif 000013
【図１３】
0005168331.tif 000014
【図１４】
0005168331.tif 000015
【図１５】
0005168331.tif 000016